(57)【特許請求の範囲】
【請求項１】
ダストが浮遊している空気を吸引し且つダストを内底部に残存させるとともにダストを除去した空気を外部へ排出する集塵機（１５）と、空気流通方向上流端がコンクリートミキサ（１）の内部上方に連通し且つ空気流通方向下流端が集塵機（１５）の空気吸引口に連通する吸引管（１６）と、前記の集塵機（１５）下端の粉体排出口に設けられた第１の開閉弁（１８）と、粉体移送方向上流端が第１の開閉弁（１８）に接続され且つ粉体移送方向下流端がコンクリートミキサ（１）の内部上方に連通する送出管（１９）と、該送出管（１９）の中間部分に設けられた第２の開閉弁（２０）と、前記の送出管（１９）の粉体移送方向上流端と第２の開閉弁（２０）との間の空間に気流を流入させ得る送気手段（２１）とを備えてなることを特徴とするダスト収集装置。
【請求項２】
集塵機（１５）に振動を付与するバイブレータ（２２）を設けた請求項１に記載のダスト収集装置。
【発明の詳細な説明】
【０００１】
【発明の属する技術分野】
本発明はダスト収集装置に関するものである。
【０００２】
【従来の技術】
図２は生コンクリートを製造するバッチャプラントの一例を示すものであり、このバッチャプラントは、セメント、水、砂（細骨材）、砂利（粗骨材）を混練するミキサ１と、セメントを貯蔵するセメント貯蔵槽２と、該セメント貯蔵槽２から切り出だされるセメントの重量を計量するセメント計量器３と、該セメント計量器３において計量が完了したセメントをミキサ１へ投入するセメント投入シュート４と、砂、砂利を区分して貯蔵する骨材貯蔵槽５と、該骨材貯蔵槽５から切り出される砂、砂利の重量を計量する骨材計量器６と、該骨材計量器６において計量が完了した砂、砂利をミキサ１へ投入する骨材投入シュート７と、水貯蔵槽（図示せず）から送出される水を計量する水計量器８と、該水計量器８において計量が完了した水をミキサへ投入する水送給シュート９と、前記のミキサ１において生成された生コンクリートをコンクリートミキサ車等の運搬手段へ搭載するためのコンクリートホッパ１０と、ベルトコンベヤ等の搬送手段によって外部からバッチャプラントへ送給されるセメント、砂、砂利をセメント貯蔵槽２あるいは骨材貯蔵槽５へ供給するためのターンヘッド１１とを備えている。
【０００３】
これらの機器は、建屋１２の内部に配置されており、また、建屋１２の所定箇所には、各機器を作動させるための制御器１３を設置した操作室１４が設けられている。
【０００４】
図２に示すバッチャプラントにおいて生コンクリートを製造する際には、製造すべき生コンクリートの配合比に応じた量のセメント、水、砂を、セメント貯蔵槽２、水貯蔵槽（図示せず）、骨材貯蔵槽５からセメント計量器３、骨材計量器６、水計量器８、並びにセメント投入シュート４、骨材投入シュート７、水送給シュート９を介してミキサ１へ供給し、該ミキサ１によって、セメント、水、砂を混練してモルタルを生成させる。
【０００５】
モルタルが練り上がったならば、骨材貯蔵槽５から製造すべき生コンクリートの配合比に応じた量の砂利を、骨材貯蔵槽５から骨材計量器６、並びに骨材投入シュート７を介してミキサ１へ供給し（実際には、砂利に加えて補正水、混和剤も供給する）、該ミキサ１によって、モルタル、砂利を混練して生コンクリートを生成させる。
【０００６】
更に、練り上がった生コンクリートを、コンクリートホッパ１０を介してコンクリートミキサ車等の運搬手段へ搭載し、生コンクリートを出荷するようにしている。
【０００７】
一方、生コンクリートの製造にあたり、セメント計量器３からセメント投入シュート４を介してセメントをミキサ１へ投入するときは、微細粒子であるセメント粉体が舞い上がり、また、骨材計量器６から骨材投入シュート７を介して砂、砂利をミキサ１へ投入するときには、砂、砂利に混在あるいは付着している微粒が舞い上がることになる。
【０００８】
これらのセメント粉体や砂、砂利に混在あるいは付着している微粒等のダストは、大気中に拡散しやすい。
【０００９】
そこで、バッチャプラントには、上記のダストの拡散を防止するためのダスト収集装置が設けられている。
【００１０】
従来のダスト収集装置は、ダストが浮遊している空気を吸引し且つダストを内底部に貯留させるとともにダストを除去した空気を外部へ排出するバクフィルタ方式等の集塵機１５と、空気流通方向上流端がミキサ１の内部上方に連通し且つ空気流通方向下流端が集塵機１５の上部の空気吸引口に接続された吸引管１６と、粉体移送方向上流端が集塵機１５の下部の粉体排出口に接続され且つ粉体移送方向下流端がミキサ１の内部上方に連通するスクリューコンベヤ１７とを備えており、これらの機器は、前記の建屋１２の内部に配置されている。
【００１１】
上記構成を有するダスト収集装置では、セメント、砂、砂利等をミキサ１へ投入する際に集塵機１５を作動させ、ミキサ１の内部において舞い上がるダストをミキサ１の内部の空気とともに吸引管１６を介して集塵機１５へ吸引し、ダストを集塵機１５の内底部に貯留させるとともにダストを除去した空気を集塵機１５の外部へ排出させて、バッチャプラントの建屋１２の内部におけるダストの拡散を抑制する。
【００１２】
また、ミキサ１において数バッチ分の生コンクリートの原料の混練を行うことにより、集塵機１５の内部に貯留されるダストが所定量に達したならば、ミキサ１において生コンクリートの原料の混練が行われているときに、スクリューコンベヤ１７の筒体の内部に配置されている螺旋体を回転させる。
【００１３】
スクリューコンベヤ１７の螺旋体が回転すると、集塵機１５の内底部に残存しているダストが螺旋体の回転に伴って筒体の内部をミキサ１へ向って移動し、ミキサ１の内部の生コンクリート原料に対してダストが送り出される。
【００１４】
なお、ミキサ１の内部へ送り出されるダストは、先に述べたように、セメント粉体や砂、砂利に混在あるいは付着している微粒であり、また、製造すべき生コンクリートに対する量が微小であるため、生コンクリートの配合比に影響を与えることはない。
【００１５】
【発明が解決しようとする課題】
ところが、集塵機１５より捕捉されるダストは、ミキサ１の内部において水分を吸収しており、特にダストに含まれるセメント粉体が水分と反応すると、スクリューコンベヤ１７の筒体内側面や螺旋体表面に付着したダストが固化し、螺旋体の作動不良、あるいは、筒体の閉塞が生じて、集塵機１５からダストを排出できなくなることがある。
【００１６】
本発明は上述した実情に鑑みてなしたもので、ダストの付着固化が生じないダスト収集装置を提供することを目的としている。
【００１７】
【課題を解決するための手段】
上記目的を達成するため、本発明の請求項１に記載のダスト収集装置では、ダストが浮遊している空気を吸引し且つダストを内底部に残存させるとともにダストを除去した空気を外部へ排出する集塵機１５と、空気流通方向上流端がコンクリートミキサ１の内部上方に連通し且つ空気流通方向下流端が集塵機１５の空気吸引口に連通する吸引管１６と、前記の集塵機１５下端の粉体排出口に設けられた第１の開閉弁１８と、粉体移送方向上流端が第１の開閉弁１８に接続され且つ粉体移送方向下流端がコンクリートミキサ１の内部上方に連通する送出管１９と、該送出管１９の中間部分に設けられた第２の開閉弁２０と、前記の送出管１９の粉体移送方向上流端と第２の開閉弁２０との間の空間に気流を流入させ得る送気手段２１とを備えている。
【００１９】
更に、本発明の請求項２に記載のダスト収集装置では、上述した本発明の請求項１に記載のダスト収集装置の構成に加えて、集塵機１５に振動を付与するバイブレータ２２を設けている。
【００２０】
本発明の請求項１に記載のダスト収集装置においては、第１の開閉弁１８を開放状態にして、集塵機１５に貯留されているダストを送出管１９に送り込んだ後、第１の開閉弁１８を閉止状態にし、第２の開閉弁２０を開放状態にしたうえ、送気手段２１から送出管１９に気流を流入させ、この気流によって送出管１９の内部に存在しているダストを送出管１９からコンクリートミキサ１へ送り出す。
【００２２】
また、第１の開閉弁１８、第２の開閉弁２０の双方を閉止状態とすることにより、コンクリートミキサ１から送出管１９、集塵機１５への水分の侵入を抑制する。
【００２３】
本発明の請求項２に記載のダスト収集装置においては、第１の開閉弁１８を開放状態としたときに、バイブレータ２２によって集塵機１５を振動させて、該集塵機１５から送出管１９へのダストの送り込みを促進する。
【００２４】
【発明の実施の形態】
以下、本発明の実施の形態を参照しつつ説明する。
【００２５】
図１は本発明のダスト収集装置の実施の形態の一例を示すもので、このダスト収集装置は、バグフィルタ方式の集塵機１５、吸引管１６、バタフライ弁よりなる第１の開閉弁１８、送出管１９、バタフライ弁よりなる第２の開閉弁２０、送気手段２１、振動付与手段としてのバイブレータ２２、制御器２３を備えている。
【００２６】
集塵機１５は、上部にダストが浮遊している空気を吸引するための吸引口２４を有し且つ下部に空気から分離したダストを貯留するためのホッパ２５を有している。
【００２７】
また、集塵機１５の所定箇所には、ダストが分離された後の空気を外部へ排出するための排気口（図示せず）が設けられている。
【００２８】
この集塵機１５は、ホッパ２５の下端が、ミキサ１の上部を覆うように設置されたカバー２６に取り付けられている空気排出口２７ａ及び粉体送入口２７ｂよりも上方に位置するように、バッチャプラントの建屋１２（図２参照）の内部に配置されている。
【００２９】
吸引管１６は、空気流通方向上流端が前記の空気排出口２７ａに接続され、空気流通方向下流端が、集塵機１５の吸引口２４に接続されている。
【００３０】
第１の開閉弁１８は、集塵機１５のホッパ２５の下端の粉体排出口に取り付けられている。
【００３１】
この第１の開閉弁１８には、開閉手段としてのアクチュエータ２８が設けられており、該アクチュエータ２８を作動させると、第１の開閉弁１８が開放状態あるいは閉止状態に択一的に設定されるようになっている。
【００３２】
送出管１９は、粉体移送方向上流端が前記の第１の開閉弁１８に接続された送出管上流部２９ａと、粉体移送方向下流端が前記の粉体送入口２７ｂに接続された送出管下流部２９ｂとを有している。
【００３３】
第２の開閉弁２０は、送出管上流部２９ａの粉体移送方向下流端と送出管下流部２９ｂの粉体移送方向上流端との間に挿入され、送出管上流部２９ａ及び送出管下流部２９ｂの双方に接続されている。
【００３４】
この第２の開閉弁２０には、第２の開閉弁２０の開閉状態を検知するためのリミットスイッチ（図示せず）と、開閉手段としてのアクチュエータ３０とが設けられており、該アクチュエータ３０を作動させると、第２の開閉弁２０が開放状態あるいは閉止状態に択一的に設定されるようになっている。
【００３５】
送気手段２１は、空気圧縮機３１と、該空気圧縮機３１に逆止弁３２を介して接続された圧縮空気槽３３と、該圧縮空気槽３３に流入ポートが接続された圧力調整弁３６と、該圧力調整弁３６の流出ポートに上流側ポートが接続された電磁切換弁３４と、該電磁切換弁３４の下流側ポートに空気流通方向上流端が接続され且つ空気流通方向下流端が前記の送出管１９の送出管上流部２９ａに接続された空気供給管３５と、空気供給管３５に接続された圧力計３８とによって構成されている。
【００３６】
すなわち、上記の電磁切換弁３４のソレノイド３４ｓが励磁されていないときには、圧縮空気槽３３と送出管１９との連通が遮断され、また、ソレノイド３４ｓが励磁されているときには、圧縮空気槽３３と送出管１９とが連通するようになっている。
【００３７】
バイブレータ２２は、集塵機１５のホッパ２５を振動させ得るように該ホッパ２５の外側面に装着されている。
【００３８】
制御器２３は、スタートスイッチ３９から作業開始信号４０が出力された際に、第１の開閉弁１８が開放状態となるようにアクチュエータ２８を作動させる指令信号４１の出力、バイブレータ２２を作動させる指令信号４２の出力、バイブレータ２２に対する指令信号４２の出力の中断、第１の開閉弁１８が閉止状態となるようにアクチュエータ２８を作動させる指令信号４１の出力、第２の開閉弁２０が開放状態となるようにアクチュエータ３０を作動させる指令信号４３の出力を順次行い、次いで、作業開始信号４０に加えて先に述べた第２の開閉弁２０のリミットスイッチ（図示せず）から第１の開閉弁２０が開放状態であることを示す開放確認信号４４が出力されている場合には、電磁切換弁３４のソレノイド３４ｓを励磁する励磁電流４５の出力、電磁切換弁３４のソレノイド３４ｓに対する励磁電流４５の出力の中断、第２の開閉弁２０が閉止状態となるようにアクチュエータ３０を作動させる指令信号４３の出力を順次行うように構成されている。
【００３９】
また、第２の開閉弁２０が開放状態となるようにアクチュエータ３０を作動させる指令信号４１の出力してから所定時間（たとえば５秒間）が経過するまでの間に、第２の開閉弁２０が開放状態であることを示す開放確認信号４４がリミットスイッチから出力されない場合には、制御器２３から異常検知信号４６が警報器４７に対して出力され、該警報器４７が作動する。
【００４０】
以下、図１に示すダスト収集装置の作動を説明する。
【００４１】
ミキサ１においてセメント、水、砂、砂利等の原料を混練することにより生コンクリートを製造する際には、集塵機１５を作動させて、セメント、砂、砂利等をミキサ１へ投入するときに舞い上がるダストをミキサ１の内部の空気とともに、カバー２６の空気排出口２７ａ、吸引管１６、吸引口２４を介して集塵機１５へ吸引し、バッチャプラントの建屋１２の内部におけるダストの拡散を抑制する。
【００４２】
また、スタートスイッチ３９から制御器２３に対して作業開始信号４０が出力されいていない状態においては、第１の開閉弁１８、第２の開閉弁２０はいずれも閉止状態に設定され、また、電磁切換弁３４のソレノイド３４ｓが励磁されていないので、圧縮空気槽３３と送出管１９との連通が遮断されている。
【００４３】
ミキサ１において数バッチ分の生コンクリートの原料の混練を行うことにより、集塵機１５のホッパ２５に所定量のダストが貯留されたならば、スタートスイッチ３９から作業開始信号４０を制御器２３に対して出力させ、該制御器２３を起動させる。
【００４４】
制御器２３が起動すると、該制御器２３からアクチュエータ２８、バイブレータ２２に対して指令信号４１，４２が順次出力され、第１の開閉弁１８が開放状態となり、また、バイブレータ２２が作動して集塵機１５のホッパ２５が振動する。
【００４５】
これにより、集塵機１５のホッパ２５に貯留されていたダストが、第１の開閉弁１８を経て送出管１９の送出管上流部２９ａへ送り出される。
【００４６】
次いで、制御器２３からバイブレータ２２への指令信号４２の出力が中断されてバイブレータ２２が停止し、制御器２３からアクチュエータ２８，３０に対して指令信号４１，４３が順次出力され、第１の開閉弁１８が閉止状態になった後、第２の開閉弁２０が開放状態になる。
【００４７】
第２の開閉弁２０が開放状態なると、該第２の開閉弁２０のリミットスイッチ（図示せず）から制御器２３に対して開放確認信号４４が出力される。
【００４８】
開放確認信号４４が出力されると、制御器２３から電磁切換弁３４のソレノイド３４ｓに対して励磁電流４５が出力され、ソレノイド３４ｓが励磁されて、圧縮空気槽３３と送出管１９とが連通する。
【００４９】
これにより、送気手段２１の空気圧縮機３１により圧縮空気槽３３に蓄勢された圧縮空気が、電磁切換弁３４、空気供給管３５を介して送出管１９の送出管上流部２９ａに流入し、この圧縮空気の圧力によって送出管上流部２９ａに存在しているダストが、送出管下流部２９ｂ、カバー２６の粉体送入口２７ｂを介してミキサ１の内部へ送り込まれることになる。
【００５０】
更に、所定時間が経過すると、制御器２３から電磁切換弁３４のソレノイド３４ｓへの励磁電流４５の出力が中断されて送気手段２１から送出管１９に対する圧縮空気の供給が中断され、制御器２３制御器２３からアクチュエータ３０に対して指令信号４３が出力され、第２の開閉弁２０が閉止状態になる。
【００５１】
このように、図１に示すダスト収集装置では、第１の開閉弁１８を開放状態にして、集塵機１５に貯留されているダストを送出管１９に送り込んだ後、第１の開閉弁１８を閉止状態にし、第２の開閉弁２０を開放状態にしたうえ、送気手段２１から送出管１９に気流を流入させ、この気流によって送出管１９の内部に存在しているダストを送出管１９からコンクリートミキサ１へ送り出すので、送出管１９の内側面に対するダストの付着を効果的に抑制することができる。
【００５２】
また、第１の開閉弁１８、第２の開閉弁２０の双方を閉止状態とすることにより、コンクリートミキサ１から送出管１９、集塵機１５への水分の侵入を抑制するので、ダストの付着固化に起因する作動不良や送出管１９の閉塞が発生しない。
【００５３】
更に、第１の開閉弁１８を開放状態としたときに、バイブレータ２２によって集塵機１５を振動させるので、集塵機１５から送出管１９へのダストの送り込みを促進することができる。
【００５４】
なお、本発明のダスト収集装置は、上述した実施の形態のみに限定されるものではなく、本発明の要旨を逸脱しない範囲内において種々変更を加え得ることは勿論である。
【００５５】
【発明の効果】
以上述べたように、本発明のダスト収集装置によれば、下記のような種々の優れた効果を奏し得る。
【００５６】
（１）本発明の請求項１に記載のダスト収集装置においては、第１の開閉弁１８を開放状態にして、集塵機１５に貯留されているダストを送出管１９に送り込んだ後、第１の開閉弁１８を閉止状態にし、第２の開閉弁２０を開放状態にしたうえ、送気手段２１から送出管１９に気流を流入させ、この気流によって送出管１９の内部に存在しているダストを送出管１９からコンクリートミキサ１へ送り出すので、ダストの機械的送出手段が不要になり且つ送出管１９の内側面に対するダストの付着を効果的に抑制することができる。
【００５８】
（２）本発明の請求項１に記載のダスト収集装置においては、第１の開閉弁１８、第２の開閉弁２０の双方を閉止状態とすることにより、コンクリートミキサ１から送出管１９、集塵機１５への水分の侵入を抑制するので、ダストの付着固化に起因する作動不良や送出管１９の閉塞が発生せず、よって、常時ダストを安定した状態で集塵機１５から排出させることができる。
【００５９】
（３）本発明の請求項２に記載のダスト収集装置においては、第１の開閉弁１８を開放状態としたときに、バイブレータ２２によって集塵機１５を振動させて、集塵機１５から送出管１９へのダストの送り込みを促進するので、集塵機１５に貯留されてるダストを効率よく排出することができる。
【図面の簡単な説明】
【図１】本発明のダスト収集装置の実施の形態の一例を示す概念図である。
【図２】従来のダスト収集装置の一例を組み込んだバッチャプラントを示す概念図である。
【符号の説明】
１    ミキサ（コンクリートミキサ）
１５  集塵機
１６  吸引管
１８  第１の開閉弁
１９  送出管
２０  第２の開閉弁
２１  送気手段
２２  バイブレータ
【図１】
0003650492.tif 000002
【図２】
0003650492.tif 000003